(57)【要約】【課題】  フロアステップの強度を向上できるようにする。【解決手段】  走行装置２に支持された機台３上に運転席５を配置し、この運転席５の前下部にフロアステップ２３を設けている。前記フロアステップ２３に左右方向に長い膨出部３８を前後に複数本形成し、このフロアステップ２３の左右一側でかつ後膨出部３８Ｂの端部前方に開口部４０を設け、この開口部４０より左右方向中途部側に後膨出部３８Ｂと前膨出部３８Ａとを繋ぐ連結膨出部３８Ｃを形成する。【選択図】図１
2014031687.tif 000002
【特許請求の範囲】
【請求項１】
走行装置（２）に支持された機台（３）上に運転席（５）を配置し、この運転席（５）の前下部にフロアステップ（２３）を設けた作業機であって、
前記フロアステップ（２３）に左右方向に長い膨出部（３８）を前後に複数本形成し、このフロアステップ（２３）の左右一側でかつ後膨出部（３８Ｂ）の端部前方に開口部（４０）を設け、この開口部（４０）より左右方向中途部側に後膨出部（３８Ｂ）と前膨出部（３８Ａ）とを繋ぐ連結膨出部（３８Ｃ）を形成していることを特徴とする作業機。
【請求項２】
前記前膨出部（３８Ａ）の端部（３８Ａａ）を連結膨出部（３８Ｃ）から左右方向側方でかつ開口部（４０）の前方まで延設していることを特徴とする請求項１に記載の作業機。
【請求項３】
前記フロアステップ（２３）の左右一側に電子機器（３０）を立設しかつ電子機器（３０）に接続されたハーネス（３１）を開口部（４０）に挿通しており、
前記フロアステップ（２３）の開口部（４０）に、上方突出した山形状のハーネスガイド部材（３２）を設け、このハーネスガイド部材（３２）の前側の山傾斜面にハーネス（３１）を挿通する挿通口（３２Ａ）を形成し、後側の山傾斜面に足置き面（３２Ｂ）を形成していることを特徴とする請求項１又は２に記載の作業機。
【発明の詳細な説明】
【技術分野】
【０００１】
本発明は、機台に運転席を備えた作業機に関する。
【背景技術】
【０００２】
この種の作業機として、特許文献１に開示されているように、走行装置に支持された機台上に運転席を配置し、この運転席の前下部にフロアパネル（フロアステップ）を設け、このフロアパネルに左右方向に長い上向き突出状のトンネル部を形成し、このトンネル部にハーネスを挿通している。
【先行技術文献】
【特許文献】
【０００３】
【特許文献１】特許第４２３０１９９号公報
【発明の概要】
【発明が解決しようとする課題】
【０００４】
前記従来技術のフロアパネルは、トンネル部を形成して左右方向の曲げ強度を向上しているが、トンネル部は１本だけであるので前後方向の曲げには弱く、また、左右一側に電子機器を立設していて、そのハーネスをフロアステップの左右一側に挿通するためにフロアステップに開口部を形成すると、フロアステップの強度をさらに低下させる、という問題がある。
【０００５】
本発明は、このような従来技術の問題点を解決できるようにした作業機を提供することを目的とする。
本発明は、フロアステップに膨出部を前後に複数本形成しかつ後膨出部と前膨出部とを繋ぐ連結膨出部を形成することにより、フロアステップの強度を向上できるようにした作業機を提供することを目的とする。
【課題を解決するための手段】
【０００６】
本発明における課題解決のための具体的手段は、次の通りである。
第１に、走行装置２に支持された機台３上に運転席５を配置し、この運転席５の前下部にフロアステップ２３を設けた作業機であって、
前記フロアステップ２３に左右方向に長い膨出部３８を前後に複数本形成し、このフロアステップ２３の左右一側でかつ後膨出部３８Ｂの端部前方に開口部４０を設け、この開口部４０より左右方向中途部側に後膨出部３８Ｂと前膨出部３８Ａとを繋ぐ連結膨出部３８Ｃを形成していることを特徴とする。
【０００７】
第２に、前記前膨出部３８Ａの端部３８Ａａを連結膨出部３８Ｃから左右方向側方でかつ開口部４０の前方まで延設していることを特徴とする。
第３に、前記フロアステップ２３の左右一側に電子機器３０を立設しかつ電子機器３０に接続されたハーネス３１を開口部４０に挿通しており、
前記フロアステップ２３の開口部４０に、上方突出した山形状のハーネスガイド部材３２を設け、このハーネスガイド部材３２の前側の山傾斜面にハーネス３１を挿通する挿通口３２Ａを形成し、後側の山傾斜面に足置き面３２Ｂを形成していることを特徴とする。
【発明の効果】
【０００８】
本発明によれば、フロアステップの強度を向上できる。
即ち、請求項１に係る発明は、フロアステップ２３に左右方向に長い膨出部３８を前後に複数本形成し、このフロアステップ２３の左右一側でかつ後膨出部３８Ｂの端部前方に開口部４０を設け、この開口部４０より左右方向中途部側に後膨出部３８Ｂと前膨出部３８Ａとを繋ぐ連結膨出部３８Ｃを形成しているので、フロアステップ２３の側部に開口部４０があっても、前後膨出部３８Ａ、３８Ｂとそれらを繋ぐ連結膨出部３８Ｃによって、強度を向上できる。
【０００９】
請求項２に係る発明は、前膨出部３８Ａの端部３８Ａａを連結膨出部３８Ｃから左右方向側方でかつ開口部４０の前方まで延設しているので、開口部４０があっても、フロアステップ２３の側部の強度をより向上できる。
請求項３に係る発明は、フロアステップ２３の開口部４０に、上方突出した山形状のハーネスガイド部材３２を設け、このハーネスガイド部材３２の前側の山傾斜面にハーネス３１を挿通する挿通口３２Ａを形成し、後側の山傾斜面に足置き面３２Ｂを形成しているので、開口部４０に挿通されるハーネス３１の保護ができる。
【図面の簡単な説明】
【００１０】
【図１】本発明の実施形態を示す機台の斜視図である。
【図２】同機台の平面図である。
【図３】同機台の側面図である。
【図４】作業機の全体側面図である。
【図５】作業機の全体平面図である。
【図６】機台の上部構造の斜視図である。
【図７】同機台の上部構造の平面図である。
【図８】同機台の上部構造の側面図である。
【図９】同機台の上部構造の正面図である。
【図１０】電子機器取付構造を示す斜視図である。
【図１１】支持部材の前方からの斜視図である。
【図１２】支持部材の後方からの斜視図である。
【図１３】フロアステップの平面図である。
【図１４】フロアステップの正面図である。
【図１５】フロアステップの側面図である。
【図１６】ハーネスガイドの平面図である。
【図１７】ハーネスガイドの側面図である。
【図１８】乗降ステップの斜視図である。
【図１９】乗降ステップの分解斜視図である。
【図２０】乗降ステップの平面図である。
【図２１】乗降ステップのＸ−Ｘ線断面図である。
【発明を実施するための形態】
【００１１】
以下、本発明の実施の形態を図面に基づいて説明する。
図１〜５において、作業機１として後方小旋回型バックホーを例示しており、このバックホー１はクローラ式の走行装置２上に縦軸廻り旋回可能な機台（旋回台）３を支持し、機台３の前部にバケット式の掘削装置４を有し、機台３上に運転席５を有する操縦部６を包囲したキャビン７を搭載している。
【００１２】
機台３は旋回フレーム３Ａの後部にエンジン１１を搭載し、左右一方（右側）にオイルタンク、コントロールバルブ及びバッテリ等の車両補器１２を搭載し、エンジン１１を固定のエンジンカバー１３及び開閉自在なボンネット１４で覆い、車両補器１２を補器カバー１５で覆っている。補器カバー１５は旋回フレーム３Ａの左右中途部に固定の補器側カバー１５Ａと外側の開閉自在な開閉カバー１５Ｂとを有する。
【００１３】
キャビン７は平面視略矩形状であり、旋回フレーム３Ａの前部で補器カバー１５の左側に搭載されており、左右一対の前支柱７Ａ及び側支柱７Ｂと、前支柱７Ａ及び側支柱７Ｂの４支柱の上端と連結されかつ天井部材を取り付けた上枠７Ｃと、前支柱７Ａの下端から側支柱７Ｂの下端に至りかつ左右側支柱７Ｂの下端を連結した下枠７Ｄと、前支柱７Ａ、側支柱７Ｂ、上枠７Ｃ及び下枠７Ｄ等の枠材で囲まれた乗降口を開閉する開閉ドア７Ｅ等を備えている。
【００１４】
図１〜３、５〜９において、キャビン７内の操縦部６において、エンジンカバー１３より前方の旋回フレーム３Ａの前後中途部に席台２１を固定し、この席台２１上に運転席５を載置し、内部にエアコン装置２０を収納している。
前記席台２１の左右上部には、掘削装置４のブームシリンダ及びバケットシリンダ、機台３用の旋回モータ等を操縦するレバー操縦装置２２Ｒ、２２Ｌが運転席５を挟んで左右に振り分け配置されている。
【００１５】
席台２１の前方の旋回フレーム３Ａの上面にはフロアステップ２３が着脱自在に設けられ、その前方には前フロアプレート１９が設けられ、この前フロアプレート１９を上下に貫通するように、旋回フレーム３Ａの前部に走行装置２の油圧モータ等を操縦する走行レバー操縦装置２４が配置され、また、走行増速ペダルや、掘削装置４のスイングシリンダを操作するスイングペダル等が配置されるようになっている。
【００１６】
前記席台２１の右前から上方へエアーダクト２５が突出されており、このエアーダクト２５はエアコン装置２０と連通していて、キャビン７内のフロントガラス、運転席５等へ冷却風を送る送風口２５Ａが複数形成されており、このエアーダクト２５の上部背面にはメータパネル２６が設けられている。前記エアーダクト２５及びメータパネル２６によって操作機器２７が構成されている。
【００１７】
操作機器２７は右レバー操縦装置２２Ｒの前方に位置、即ち、運転席５の右側前方で下から立ち上がった姿勢に配置されており、メータパネル２６には各種メータ表示部、メンテナンス表示部等が設けられている。
車両補器１２の内側方を覆う補器側カバー１５Ａは、キャビン７の右側壁を形成しており、この補器側カバー１５Ａと操作機器２７としてのエアーダクト２５との間には、エンジン１１を制御する電子機器であるエンジンコントロールユニット（ＥＣＵ）３０が配置されている。
【００１８】
前記旋回フレーム３Ａの右側部には支持部材２９が立設されている。この支持部材２９の上部にエアーダクト２５が支持されかつエンジンコントロールユニット３０が取り付けられている。
このエンジンコントロールユニット３０はそれのみでエンジン１１を制御するもの、または、エンジンカバー１３内にエンジン１１を主制御する主エンジンコントロールユニットが設けられていて、その主エンジンコントロールユニットに接続されてエンジン１１を補助制御するものである。
【００１９】
前記フロアステップ２３の右側方には、支持部材２９の下部にエンジンコントロールユニット３０からエンジン１１側へ至るハーネス３１を案内するハーネスガイド部材３２が設けられ、フロアステップ２３の左側方には、機台３の左機台側カバー３３の上部に乗降ステップ３４が設けられている。左機台側カバー３３の前部は機台３の左前部を覆う前カバー３６と繋がっている。
【００２０】
図１〜３、６〜１２に基づいて、電子機器であるエンジンコントロールユニット３０の取付構造を説明する。
エンジンコントロールユニット３０は、操縦部６の右側方で車両補器１２を覆う補器カバー１５の補器側カバー１５Ａと、エアーダクト２５及びメータパネル２６を有する操作機器２７との間に支持部材２９によって配置支持されている。
【００２１】
前記支持部材２９は、丸パイプ製の支柱２９Ａの上部に、操作機器２７取り付け用のアングル形状の内側ブラケット２９Ｂと、エンジンコントロールユニット３０取り付け用の上下に長い外側ブラケット２９Ｃとを設けている。
前記エンジンコントロールユニット３０は、箱形状のケースカバー３０Ａ内に電子機器本体であるユニット本体３０Ｂを取り付けており、ケースカバー３０Ａを外側ブラケット２９Ｃの上部でボルトを介して吊り持ち、側面でもボルト固定している。
【００２２】
支持部材２９の内側ブラケット２９Ｂと外側ブラケット２９Ｃにおける取り付け面は左右及び上下に離れており、操作機器２７は運転席５側に取り付けられ、エンジンコントロールユニット３０が存在していても内側ブラケット２９Ｂに着脱でき、エンジンコントロールユニット３０は補器側カバー１５Ａ側に取り付けられ、操作機器２７が存在していても外側ブラケット２９Ｃに着脱できる。
【００２３】
機台３上の支持部材２９の下部近傍にはハーネスガイド部材３２が配置されており、このハーネスガイド部材３２には外側ブラケット２９Ｃの下部に取り付けるステー４１が設けられている。
このハーネスガイド部材３２は図６〜１０、１７、１８に示すように、平面視Ｌ字状で、中途部分に支柱２９Ａに嵌合する嵌合部３２Ｃと、この嵌合部３２Ｃの左側方に位置する第１挿通口３２Ａａと、嵌合部３２Ｃの前側方に位置する第２挿通口３２Ａｂとを有し、エンジンコントロールユニット３０とエンジン１１または主エンジンコントロールユニットに接続されるハーネス３１を挿通し機台３内に案内している。
【００２４】
ハーネスガイド部材３２の第１挿通口３２Ａａ及び第２挿通口３２Ａｂを形成している面は上向き突出の山形面の前面側であり、第１挿通口３２Ａａの後側傾斜面は足置き面３２Ｂとなっており、第２挿通口３２Ａｂの後側傾斜面には前記ステー４１が設けられている。
従って、ハーネスガイド部材３２は外側ブラケット２９Ｃの下部に装着され、複数本のハーネス３１を前後・左右に分離して案内し、足置き面３２Ｂを設けることにより、運転者の足がハーネス３１にかかるのを防止している。
【００２５】
図１〜３、６〜９、１３〜１５に基づいて、フロアステップ２３を詳述する。
フロアステップ２３は左右に長い平板をプレス打ち抜き加工及び絞り加工したものであり、前後方向には短くかつ左右方向に長い上向き突出状の膨出部３８を前後に複数本（２本）形成し、このフロアステップ２３の左右一側（右側）でかつ後膨出部３８Ｂの端部前方にエンジンコントロールユニット（電子機器）３０用のハーネス３１を挿通する開口部４０を設け、この開口部４０より左右方向中途部側に後膨出部３８Ｂと前膨出部３８Ａとを繋ぐ連結膨出部３８Ｃを形成している。
【００２６】
前記開口部４０上にハーネスガイド部材３２が配置される。この開口部４０をフロアステップ２３の前端まで開口し、前膨出部３８Ａの右端と連結膨出部３８Ｃの前端とを繋いだ膨出形状としてもよいが、実施の形態では、前膨出部３８Ａの端部３８Ａａを連結膨出部３８Ｃから左右方向側方でかつ開口部４０の前方まで延設している。
前膨出部３８Ａは連結膨出部３８Ｃとの繋ぎ側端部が、その他の部分に比べて前後方向広幅に形成され、前膨出部３８Ａの右端部３８Ａａが開口部４０の前方まで回り込めるようになっている。
【００２７】
前記フロアステップ２３は膨出部３８を前後複数本形成することにより、また、後膨出部３８Ｂと前膨出部３８Ａとを連結膨出部３８Ｃで繋ぐことにより、強度向上を図り、開口部４０を形成したことによるフロアステップ２３端部の強度低下を、前膨出部３８Ａの右端部３８Ａａを開口部４０の前方まで回り込ませることにより防いでいる。
フロアステップ２３上にはフロアマット３９が敷設される。このフロアマット３９はフロアステップ２３の周囲だけではなく前後膨出部３８Ａ、３８Ｂ間にも入るリブを下面に形成しており、フロアステップ２３の上面の全面に載置される。
【００２８】
図１〜３、５、７、１８〜２１において、乗降ステップ３４の構造を詳述する。
乗降ステップ３４はキャビン７の下枠７Ｄ及び開閉ドア７Ｅの下部とオーバラップする位置に配置され、左側の機台側カバー３３の上面に底面３５Ａが水平状の凹部３５が形成され、この凹部３５に乗降ステップ部材３４Ａが設けられており、乗降ステップ部材３４Ａの外側縁３４ｂは左機台側カバー３３の側面と平行な円弧形状であり、内側縁３４ａはキャビン７の開閉ドア７Ｅの下部外面より内側に位置していて略平行な直線形状になっている。
【００２９】
即ち、乗降ステップ３４は、旋回フレーム３Ａの前側面に左機台側カバー３３が設けられ、この左機台側カバー３３は水平な上壁３３ａと円弧形状の側壁３３ｂとを有し、上壁３３ａの側壁３３ｂ側に乗降ステップ用凹部３５が形成されている。
この凹部３５は、底面３５Ａが水平でかつ上壁３３ａの上面と平行に形成され、底面３５Ａの周囲から斜め上向きに立ち上がった立ち上がり傾斜面３５Ｂが形成され、この立ち上がり傾斜面３５Ｂの上縁が上壁３３ａの上面と接続されている。
【００３０】
上がり傾斜面３５Ｂのフロアステップ２３側の上縁（前後に長い奥側の傾斜面の上縁）は直線状であり、かつ開閉ドア７Ｅの下部外面より内側でかつ下部外面と略平行に形成されている。
乗降ステップ部材３４Ａは樹脂又はゴム等で形成されていて、凹部３５に挿入して、ボルト等の締結部材で左機台側カバー３３に取り付けられる。
【００３１】
この乗降ステップ部材３４Ａは凹部３５の平面形状と相似形であり、キャビン７側の内側縁３４ａは立ち上がり傾斜面３５Ｂの上縁と略平行な直線形状であり、開閉ドア７Ｅの下部外面より内側でかつ下部外面と略平行に配置されている。
乗降ステップ部材３４Ａの外側縁３４ｂは、機台側カバー３３の外側面及び凹部３５の外側縁と平行な外方突出状の円弧形状に形成されている。
【００３２】
乗降ステップ部材３４Ａは左右幅方向において、内側縁３４ａから中途部までの上面が平坦面３４Ａａであり、中途部から外側縁３４ｂまでが凹凸のある滑り止め面３４Ａｂとなっており、閉鎖時の開閉ドア７Ｅの下部外面が乗降ステップ部材３４Ａの中途部に位置し、乗降ステップ部材３４Ａの内側縁３４ａから中途部までの平坦面３４Ａａが開閉ドア７Ｅとオーバラップし、滑り止め面３４Ａｂは開閉ドア７Ｅの下部外面より外側に位置する。
【００３３】
なお、本発明は前記実施形態における各部材の形状及びそれぞれの前後・左右・上下の位置関係は、図１〜２１示すように構成することが最良である。しかし、前記実施形態に限定されるものではなく、部材、構成を種々変形したり、組み合わせを変更したりすることもできる。
例えば、電子機器３０はエンジンコントロールユニット３０以外の熱を好まないコンピュータ等の機器でもよい。
【００３４】
また、フロアステップ２３の開口部４０は、エンジンコントロールユニット３０に接続されるハーネス３１以外の、ケーブル、支持部材等を通したり配置したりするためのものであってもよい。
【符号の説明】
【００３５】
１      作業機（バックホー）
２      走行装置
３      機台
３Ａ    旋回フレーム
４      掘削装置
５      運転席
６      操縦部
７      キャビン
７Ｅ    開閉ドア
１１    エンジン
１２    車両補器
１５Ａ  補器側カバー
２０    エアコン装置
２１    席台
２２Ｒ  右レバー操縦装置
２３    フロアステップ
２５    エアーダクト
２６    メータパネル
２７    操作機器
２９    支持部材
３０    エンジンコントロールユニット（電子機器）
３１    ハーネス
３２    ハーネスガイド部材
３３    機台側カバー
３３ａ  上壁
３３ｂ  側壁
３４    乗降ステップ
３４Ａ  乗降ステップ部材
３４ａ  内側縁
３４ｂ  外側縁
３５    凹部
３５Ａ  底面
３５Ｂ  立ち上がり傾斜面
【図１】
2014031687.tif 000003
【図２】
2014031687.tif 000004
【図３】
2014031687.tif 000005
【図４】
2014031687.tif 000006
【図５】
2014031687.tif 000007
【図６】
2014031687.tif 000008
【図７】
2014031687.tif 000009
【図８】
2014031687.tif 000010
【図９】
2014031687.tif 000011
【図１０】
2014031687.tif 000012
【図１１】
2014031687.tif 000013
【図１２】
2014031687.tif 000014
【図１３】
2014031687.tif 000015
【図１４】
2014031687.tif 000016
【図１５】
2014031687.tif 000017
【図１６】
2014031687.tif 000018
【図１７】
2014031687.tif 000019
【図１８】
2014031687.tif 000020
【図１９】
2014031687.tif 000021
【図２０】
2014031687.tif 000022
【図２１】
2014031687.tif 000023